(57)【要約】      （修正有）【課題】ガラスや壁面など平滑な平面に、テープ・糊などを使わず吸着力で貼付けることができる吸着掲示板を提供する。【解決手段】自己粘着性を有するフィルムを基板とし、該基板上に紙およびフィルムなどに描かれた情報掲載物を置き、ラミネートフィルムで該基板と該情報掲載物を重ねてラミネートすることで、ガラスなど平滑な平面に吸着する吸着掲示板が実現できる。なお、情報掲載物の表・裏あるいは両面を自己粘着性を有するフィルムにするかによって、情報が描かれている表が吸着する吸着掲示板、情報が描かれている反対の裏側が吸着する吸着掲示板および両面が吸着する吸着掲示板ができる。【選択図】図１
0003148826.tif 000002
【実用新案登録請求の範囲】
【請求項１】
所定の厚さからなる基板は、軟質ポリ塩化ビニールフィルム、ポリ塩化ビニルデンフィルム、低密度ポリエチレンフィルムなどの自己粘着性を有するフィルムからなり、その大きさは、縦・横とも該基板の表面に貼られ掲示される掲載情報より幾分大きく作られてあると共に、前記基板と同じ大きさからなるラミネートフィルムをもって、該掲載情報の上面に重ね貼られてあり、これを平滑なガラス窓や壁面にそのまま吸着できるようにしたことを特徴とする吸着掲示板。
【請求項２】
前記記載のラミネートフィルムに替えて、基板に用いられているものと同一の材質からなる自己粘着性を有するフィルムで掲載情報の上面に重ね貼られてあることを特徴とする請求項１の吸着掲示板。
【考案の詳細な説明】
【技術分野】
【０００１】    本考案は、紙、樹脂フィルムなどに印刷されたポスター、写真などの掲載情報をガラスやタイルなどの平滑な面にそのまま吸着させる吸着掲示板に関する。
【背景技術】
【０００２】    従来、ポスターなどの印刷物を汚れや破損から保護する手段として、表面を薄い透明フィルムで被うラミネートと呼ばれる加工がされている。これらは、店鋪のウインドウなどのガラス面に、セロハンテープや両面糊付きテープなどで固定して掲示されるのが一般的である。
また、テープなどで貼付けずに、ラミネートフィルム表面に凹みを付ける事でガラス、タイルなどの平滑面に吸着させようとする考案がある。
なお、関連技術に下記物件がある。
【特許文献１】実願２００６−９１８２号公報
【特許文献２】実登３１２２２４７号公報  特許文献１は、ラミネートフィルムの片面に、熱プレスあるいは熱転写により円形凹面加工を行い、この円形加工部が吸盤の働きをして、平滑な壁面等へ吸着させようとするものである。
また、特許文献２は、不織布印刷面裏側に、樹脂系薄膜を塗布、またはラミネートフィルムを熱圧着させて形成される不織布表面の凹面に吸盤の働きをさせ、平滑面に吸着させようとするものである。
【考案の開示】
【課題を解決するための手段】
【０００３】  従来の一般的なラミネートでは、ポスターなどの破損保護が主な目的であり、貼付け方法についての配慮がなされていないため、ガラス面などへの貼付けは、セロハンテープ、両面テープなどが用いられている。このような手段で掲示した場合、掲示物を取り外す時にテープが剥がし難い、テープ跡が残るなどの不都合が起きる。また、テープ類は濡れた面には粘着しないため、雨の当たる屋外や浴室などでは使用できない。
これらの不都合を解決するための考案として特許文献１及び特許文献２があるが、いづれも、フィルムに凹面を生成させるため、印刷物の画像面に使用するとそのフィルム画像が歪んで見えたり曇ってしまうため、画像とは反対側の裏面にしか使用できない。そのため、店鋪などの窓ガラスに室内から外に向けて掲示する場合、すなわち画像面を窓ガラスに吸着させるような使い方ができない。また、フィルムに凹面を生成させるための作業が追加的に必要なためコストアップが避けられない。
本考案は、上記の問題を解決するために、吸着させるための凹面生成を必要とせず、表裏両面を吸着させることを目的としたものである。
【考案の開示】
【課題を解決するための手段】
【０００４】  所定の厚さからなる基板は、軟質ポリ塩化ビニールフィルム、ポリ塩化ビニルデンフィルム、低密度ポリエチレンフィルムなどの自己粘着性を有するフィルムからなり、その大きさは、縦・横とも該基板の表面に貼られ掲示される掲載情報より幾分大きく作られてあると共に、前記基板と同じ大きさからなるラミネートフィルムをもって、該掲載情報の上面に重ね貼られてあり、これを平滑なガラス窓や壁面にそのまま吸着できるようにしたことを特徴とする吸着掲示板。【０００５】  さらに、前記記載のラミネートフィルムに替えて基板に用いられているものと同一の材質からなる自己粘着性フィルムで掲載情報の上面に重ね貼られてあることを特徴とする吸着掲示板。
【考案の効果】
【０００６】  本考案は、以下に示す効果が期待できる。
１  ガラス、タイルなどの平滑な面に吸着し、何度でも容易に貼り剥がしができる吸着掲示板が実現できる。
２  物理的な加工を加えない透明なフィルムを使用するので、画像面に使用しても画像が歪んだり曇ったりせず、店鋪内から外に向けて、画像面をウインドーに吸着させるような使い方もできる。
３  印刷物を完全に密封するので、完全防水性を有し、浴室などでも使用できる。
４  ラミネートフィルムにＵＶカット機能を有するものを用いる事で、褪色しにくい掲示物とすることができる。
５  物理的な追加加工を必要としないので、安価に作る事ができる。
【考案を実施するための最良の形態】
【０００７】  以下、本考案の実施の形態を図面１〜図面４を参照して説明する。
図面１は、画像面と反対側を吸着面とする場合で、掲載情報よりも少し広い自己粘着性シートよりなる基板上に、掲載情報の画像面を上にして重ね、その上からラミネートフィルムでラミネートする。【０００８】図面２は、情報面を吸着面とする場合で、掲載情報の情報面を下にして、すなわち裏返して基板の上に重ね、上記と同様にラミネートする。【０００９】図面３は、情報面と反対面の両面を吸着させるもので、ラミネートフィルムを基板と同一材質の自己粘着性を有するフィルムでラミネートとする。【００１０】図面４は、断面を示したもので、基板の上に掲載情報が置かれ、糊付きラミネートフィルムによって、基板と掲載情報がラミネートされている。
【実施例】
【００１１】基板の自己粘着性フィルムとしては、軟質ポリ塩化ビニールフィルム（以下、軟質塩ビフィルム）、ポリ塩化ビニルデンフィルム、低密度ポリエチレンフィルムなどが利用可能である。また、所定の厚さとしては、８０ミクロンから１ｍｍ程度が適する。【００１２】実施例としては、基板には厚さ４００ミクロン、可塑剤含有率３２％の軟質塩ビフィルムを用い、掲載情報としては光沢フォト用紙に水性インクジェットプリンタで印刷した画像を用い、ラミネートフィルムとしては、厚み８０ミクロンのＵＶカット機能を有する塩ビフィルムを用いて、掲載情報の裏面を吸着面とする吸着掲示板を作成した。
なお、基板およびラミネートフィルムの大きさは、掲示情報より天地左右の周囲を５ｍｍ〜１０ｍｍ程度大きめとした。【００１３】上記実施例の吸着掲示板を、店鋪のウインドウおよび一般家庭の浴室に吸着掲示して、吸着状態を観測したところ、６０日を経過しても何ら変化は見られず、初期の状態を保ち続けた。
【産業上の利用可能性】
【００１４】店鋪などのウインドウに、テープや糊などを使わずに簡単に貼付ける事ができ、不要になれば簡単に剥がせる利便性を有するので、余計な手間がかからない。【００１５】テープや糊などで四角や周囲を止めた場合には、数日後には掲示物が湿気などで伸び、弛んでしまうことが多いが、本考案の吸着掲示板では情報掲示物の全面を基板で保持しているので、全く弛むことがない。【００１６】完全防水であるから、浴室や室内プールなど湯や水がかかる環境でも使用でき、風景など各種の画像を貼って楽しむ事ができる。
【図面の簡単な説明】
【００１７】
【図１】掲載情報の裏面を吸着面とする場合の図である。
【図２】掲載情報の情報面（表面）を吸着面とする場合の図である。
【図３】掲載情報の表裏の両面を吸着面とする場合の図である。
【図４】上記図１〜図３に説明する吸着掲示板の断面図である。
【符号の説明】
【００１８】１  自己粘着性フィルムからなる基板
２  紙、合成紙、フィルムなどに描かれた掲載情報
３  基板と掲載情報を糊貼りするラミネートフィルム
４  基板と同一材質の自己粘着性を有するラミネートフィルム
【図１】
0003148826.tif 000003
【図２】
0003148826.tif 000004
【図３】
0003148826.tif 000005
【図４】
0003148826.tif 000006